(57)【特許請求の範囲】
【請求項１】
各品に夫々付与されて各品を個別に識別可能な数値により形成されたコード情報を読み取る読取手段と、
この読取手段にて読み取られ得る前記コード情報の中から、特定のコード情報を当選コード情報として選定する選定手段と、
前記コード情報を含む、前記品に関する情報を記憶するための記憶手段と、
前記コード情報及び前記特定コード情報に基づいて品一つ一つを管理するためのテーブルデータを前記記憶手段に作成するシステムコントロール部とを備え、
前記システムコントロール部は、前記読取手段にて読み取られる可能性のある前記コード情報の範囲を最初の番号を含むコード情報と最後の番号を含むコード情報とを入力されることにより、前記範囲に含まれるコード情報と、それぞれのコード情報に対して初期値として非当選を示す値が設定された当選識別情報とを格納する領域を確保したテーブルデータを前記記憶手段に作成し、
前記選定手段は、所定のアルゴリズムにしたがって前記テーブルデータ中の何れか１以上のコード情報に対して前記当選識別情報を当選を示す値に選定することを特徴とする当選品選出装置。
【請求項２】
前記読取手段によって読み取られたコード情報と前記選定手段によって選定された当選コード情報とを比較し、両者が対応しているか否かを判別する判別手段と、前記判別手段による判別結果を報知する報知手段と、を備えることを特徴とする請求項１記載の当選品選出装置。
【請求項３】
前記報知手段は、前記判別手段が前記読取手段により読み取られたコード情報と前記当選コード情報とが対応していると判断した場合、前記読取手段で読み取られたコード情報の品が当選品である旨を報知することを特徴とする請求項２記載の当選品選出装置。
【請求項４】
前記記憶手段は、書き換え可能な不揮発性メモリであることを特徴とする請求項１〜３の何れかに記載の当選品選出装置。
【請求項５】
各品に夫々付与されて各品を個別に識別可能な数値により形成されたコード情報を読取手段により読み取る読取手段と、
この読取手段にて読み取られ得る前記コード情報の中から、特定のコード情報を当選コード情報として選定する選定手段と、
前記コード情報を含む、前記品に関する情報を記憶手段に記憶するための記憶手段と、
前記コード情報及び前記特定コード情報に基づいて品一つ一つを管理するためのテーブルデータを前記記憶手段に作成するシステムコントロール部とを備えたコンピュータにより実行されるプログラムを記録した記録媒体であって、
前記システムコントロール部に、前記読取手段にて読み取られる可能性のある前記コード情報の範囲を最初の番号を含むコード情報と最後の番号を含むコード情報とを入力されることにより、前記範囲に含まれるコード情報と、それぞれのコード情報に対して初期値として非当選を示す値が設定された当選識別情報とを格納する領域を確保したテーブルデータを前記記憶手段にて作成させ、
前記選定手段に、所定のアルゴリズムにしたがって前記テーブルデータ中の何れか１以上のコード情報に対して前記当選識別情報を当選を示す値に選定させるプログラムを記録したコンピュータ読取り可能な記録媒体。
【発明の詳細な説明】
【０００１】
【発明の属する技術分野】
本発明は、商品の販売促進の目的で実施される懸賞イベント等の当選品選出装置に関する。
【０００２】
【従来の技術】
従来から、販売促進の目的で、商品の購入者を対象に抽選を行って懸賞品を贈呈する懸賞イベントが行われている。一般的に、このような懸賞イベントは、商品の購入者に抽選番号の記載された抽選券を配布し、後に抽選で選出された当選番号の抽選券を持った者に懸賞品を贈呈するといった形態がとられている。
【０００３】
【発明が解決しようとする課題】
しかしながら、このような懸賞イベントの形態では、主催者側にとっては、事前に抽選券や抽選器を用意したり、人手が必要となって、費用面の負担が大きく、規模が小さな小売店ほど、実施が難しいという問題があった。
【０００４】
一方、商品の購入者側にとっても、抽選券を紛失する恐れがあったり、当選番号の照合作業を強いられるなどの負担があるいう問題があった。
また、抽選後は、不用となった抽選券等の廃棄物が大量に出てしまい、環境問題の点からも好ましいものではなかった。
【０００５】
本発明は、前記事項に鑑みなされたものであり、抽選券等を用いることなく、容易に抽選作業が可能な当選品選出装置を提供することを技術的課題とする。
【０００６】
【課題を解決するための手段】
本発明の当選品選出装置は、各品に夫々付与されて各品を個別に識別可能なコード情報を読み取る読取手段と、この読取手段にて読み取られ得るコード情報の中から、特定のコード情報を当選コード情報として選定する選定手段と、を備える。
【０００７】
このような構成によれば、選定手段が個々の商品に付与されるコード情報に基づいて、当選品または非当選品を選定しているので、別途に抽選番号を付与した抽選券等を用意する必要性がないうえ、人為的な作業に起因する誤認識がなく、迅速かつ確実に抽選作業を行うことができる。
【０００８】
また、本発明の当選品選出装置は、前記読取手段によって読み取られたコード情報と前記選定手段によって選定されたコード情報とを比較し、両者が対応しているか否かを判別する判別手段と、前記判別手段による判別結果を報知する報知手段と、を備えるようにしてもよい。
【０００９】
前記報知手段は、前記判別手段が前記読取手段により読み取られたコード情報と前記当選コード情報とが対応していると判断した場合、前記読取手段で読み取られたコード情報の品が当選品である旨を報知することが望ましい。
【００１０】
このような判別手段や報知手段を備えることにより、任意に選択される品が当選品であるか否かを容易かつ迅速に認識することができ、例えば、商品購買の際の会計処理に平行して当選品の確認を行うことも可能となり、購買者に対して迅速な対応ができるとともに、当選品の確認等に関する管理コストも低減することができる。
【００１１】
さらに、本発明の当選品選出装置は、前記読取手段が読み取る全品のコード情報と、これら全品のコード情報のうち何れのコード情報が当選コード情報なのかを示す当選識別情報と、を格納する記憶手段を備え、前記選定手段は、当選識別情報を操作して、選定した当選コード情報を前記記憶手段に記憶させる一方、前記判別手段は、前記当選識別情報に基づいて、判別対象コード情報の当選または非当選を判別するように構成することができる。
【００１２】
このような記憶手段を設けることにより、読取手段で読み取られる全コード情報の中から当選コード情報が選定されるので、選定ミスがなく、確実に全商品の中から当選品を選定できる。
【００１３】
なお、前記記憶手段は、書き換え可能な不揮発性メモリとすることができる。このような構成により、記憶手段に格納されているテーブルデータの内容は常に保持されており、不用意に消去されることが防止できる。
【００１４】
また、本発明の当選品選出プログラムを記録したコンピュータ読取り可能な記録媒体は、各品に夫々付与されて各品を個別に識別可能なコード情報を読み取る第１ステップと、前記第１ステップにて読み取ったコード情報の中から、特定のコード情報を当選コード情報として選定する第２ステップと、前記第１ステップにて読み取ったコード情報と前記第２ステップにて選定したコード情報とを比較し、両者が対応しているか否かを判別する第３ステップと、前記第３ステップにて判別した結果を報知する第４ステップと、をコンピューターに実行させるプログラムを記録している。
【００１５】
なお、前記記録媒体としては、ＣＤ−ＲＯＭ（COMPACT DISK READ ONLY MEMORY）、ＭＯ（MAGNET OPTIC DISK）等を例示することができる。
【００１６】
【発明の実施の形態】
以下、本発明の当選品選出装置の実施形態を説明する。
図１は、本発明の一実施形態を示す当選品選出装置１のブロック図である。
【００１７】
バーコード５には、商品品目番号、取引先識別番号、製造番号等の情報がコード化されて記録されている。バーコード５は、製造元からの出荷時に各商品１つ１つに貼付されるもので、周知のように、小売店などの勘定場にて、バーコード読取装置付の現金出納装置で読み取られ、商品名や販売価格などの表示や販売管理に利用されるものである。
【００１８】
読取手段としてのリーダー部２０は、バーコード５に記録されたコード情報を読み取るためのものである。リーダー部２０は、内臓された不図示の光源からの照明光をバーコード５に照射するとともに、その反射光を受光してバーコード５の記録情報を光学的に読み取り、バーコード５に記録されたコード情報をシステムコントロール部３０へ出力する。
【００１９】
選定手段及び判別手段としてのシステムコントロール部３０は、当選品選出装置１の全体的な動作の制御を統括的に行うもので、マイクロコンピュータで構成されている。
【００２０】
前記システムコントロール部３０は、商品管理モードと設定モードの２つの動作モードを有している。
前者の商品管理モードは、商品の販売時に実行される動作モードであり、リーダー部２０から出力される商品品目番号、取引先識別番号、製造番号の情報（以下、これらを総称して商品情報という）に基づいて、記憶手段としてのメモリ部３３に予め格納されているテーブルデータを参照し、商品名や商品の価格、さらに当選品か否かの認識をするとともに、商品の合計金額や認識した情報等を必要に応じて、報知手段としての表示部４０に表示させて使用者に報知する処理を行う。
【００２１】
後者の設定モードは、商品の納入時など、商品の販売に先立って実行される動作モードであり、懸賞イベントにおける当選品を設定すべく、テーブルデータの値を変更設定する処理を行う。
【００２２】
前記表示部４０は、例えば液晶ディスプレイパネルで構成されており、システムコントロール部３０の制御により、各種情報や動作モード選択のためのメニュー画面、あるいは当選品選出装置１の動作状況等を表示する。
【００２３】
なお、使用者への報知手段は表示部４０のような表示装置に限らず、スピーカなどの音声装置でもよく、また表示装置と音声装置とを併設しても勿論よい。
前記システムコントロール部３０に接続される操作部３５は、いわゆるキーボード入力装置で構成されている。この操作部３５は、商品の価格などの各種設定情報の入力、システムコントロール部３０の動作モードの選択や指令をする際に操作される。
【００２４】
メモリ部３３は、例えばＥＥＰＲＯＭ（ELECTRICALLY ERASABLE PROGRAMMABLE READ ONLY MEMORY） 等の書き換え可能な不揮発性メモリで構成されており、当選品選出装置１の電源がオフされても、格納されているテーブルデータの値は常時保持されている。また、メモリ部３３から情報の読み出しおよびメモリ部３３への情報の書き込みは、システムコントロール部３０によって制御される。
【００２５】
図２は、メモリ部３３に格納されているテーブルデータの内容の一例を模式的に示したものである。
テーブルデータは、入力された商品情報と、その商品の価格情報や当選該当品か否かの情報等を関連づけるためのものであり、データの項目としては、商品情報、商品名、販売価格、当選識別情報、懸賞品名が用意され、取り扱い商品に関するこれら全ての情報が、関連付けられてメモリ部３３内に格納されている。
【００２６】
リーダー部２０から出力される商品情報は、例えば、上位４桁が商品品目番号と取引先識別番号に割り当てられ、下位４桁が製造番号に割り当てられた８桁の数値情報となっている。商品名および販売価格は、予め操作部３５から入力された文字や数値の情報が格納され、商品品目が同一のものについては、同じ情報が格納されている。
【００２７】
当選識別情報は、当選を示す「１」および非当選を示す「０」の何れかの数値情報であり、後述するシステムコントロール部３０の設定モード下での動作によって設定される。懸賞品名は、当選者に贈呈する懸賞品名の情報であり、予め操作部３５から入力された文字情報が格納されている。
【００２８】
これら一連の商品情報、商品名、販売価格、当選識別情報、懸賞品名の情報は、商品情報（製造番号）の若い順に配列されており、納入された全商品（換言すれば、販売時にリーダー部２０から出力される可能性のある全商品情報）についてのテーブルデータが構成されている。
【００２９】
図２に図示されたテーブルデータの例は、製造番号の下２桁の数値の加算値が「５」となる商品を当選品として選定したもので、例えば、製造番号が「０１５０」の商品には３等の懸賞品である図書券が割り当てられていることを示している。
【００３０】
次にシステムコントロール部３０の動作について説明する。
図３はシステムコントロール部３０の動作を示すフローチャートであり、当選品選出装置１の電源投入後に実行される。
【００３１】
まず、ステップＳ１０１では、動作モードを選択させるためのメニュー画面を表示部４０に表示させる。ステップＳ１０２では、操作部３５から入力される動作モードが商品管理モードまたは設定モードの何れが選択されているかを判断し、選択されている動作モードが設定モードが選択されている場合は、ステップＳ１０３に進み、商品管理モードである場合は、ステップＳ１６０に進む。ここでは、説明の都合上、まずは、設定モードが選択されているものとして、以下説明する。
設定モードが選択されている場合、まず、当選品選定の範囲を規定すべく、納品された商品の最初の製造番号の情報を含むバーコードと最後の製造番号の情報を含むバーコードの読取を要求する旨の表示を行い、これら２つのバーコードの読取が行われるのを待つ（ステップＳ１０３，１０４）。
【００３２】
当選品選定の範囲の決定は、操作部３５を用いて入力する形態でも勿論良いが、バーコードを利用した入力形態の方が確実かつ迅速であるので、本実施形態ではバーコード入力としている。
【００３３】
さらに、本実施形態においては、商品の納入時に製造元から受け取る納品伝票上に、最初の製造番号の情報を含むバーコードと最後の製造番号の情報を含むバーコードとが予め印刷されており、納品伝票上の２つのバーコードをリーダー部２０に読み込ませることで、使用者の作業の効率化が図れる。
【００３４】
前述の納品伝票からバーコードの読取が行われ、リーダー部２０から最初の製造番号と最後の製造番号を有する商品情報が入力されると、これら入力情報等に基づいて、個々の商品一つ一つを管理するためのテーブルデータを作成する。
【００３５】
すなわち、メモリ部３３に、最初の製造番号の商品から最後の製造番号の商品までの全ての商品（販売時において、リーダー部２０が読み取る可能性のある全コード情報）に対応して、各種項目毎の情報を格納するための領域を確保し、夫々の項目に対応するアドレスを順次指定して、予め操作部３５などで設定しておいた商品名や販売価格等の数値や文字情報を順次書き込んでテーブルデータを作成する。
【００３６】
なお、このとき、当選識別情報の領域には、初期値として非当選を示す「０」が格納される（ステップＳ１０６）。
次に、システムコントロール部３０は、当選品とする商品を自動的に選定するための所定のアルゴリズムに対応したプログラムを実行して、当選とする商品の製造番号（当選製造番号）を選定する（ステップＳ１０８）。
【００３７】
ここで、実行される当選製造番号の選定のアルゴリズムは種々考えられるが、本実施形態においては、以下の４つのアルゴリズムのうち、予め操作部３５で任意に指定した１つを実行する様に構成されている。
【００３８】
すなわち、第１の方法として、操作部３５から入力される任意数値で設定された３桁の数値（例えば「４３２」）と、下３桁がこの入力された数値と一致する製造番号の商品を当選品と選定する方法。
【００３９】
第２の方法として、製造番号の下２桁の数値の加算値が操作部３５から入力された任意の数字（例えば「５」）となる製造番号を選定する方法。
第３の方法として、操作部３５より当選本数を入力し、乱数を発生させて、当選本数分の異なる製造番号を選定する方法。
【００４０】
第４の方法として、操作部３５より当選番号の自動決定を指令すると、乱数を発生させ、テーブルデータ上の製造番号が格納されている先頭アドレスから、乱数値の回数分インクリメントされたアドレスに格納されている製造番号を当選品とする方法。
【００４１】
本実施形態の動作説明においては、上記第２の方法を用いたものとして説明する。なお、製造番号は、図２に示すように、商品情報の下４桁に相当しているので、実質的に商品情報と解釈しても何ら問題ない。
【００４２】
次に、メモリ部３０を書き込みモードにして、ステップＳ１０８にて選定した下２桁の加算値が「５」となる製造番号に対応する当選識別情報が格納されているアドレスを順次指定して、当選品であることを示す情報「１」を書き込んでいく。そして、メモリ部３０への書き込み完了後、メモリ部３０を読み出しモードに戻して、テーブルデータを完成させる。このようにして、図２に示すようなテーブルデータ３２が作成される（ステップＳ１１２〜Ｓ１１５）。
【００４３】
そして、確認のために、当選品の製造番号や当選品総数を表示して、当選品の設定が完了した旨を表示部３０に表示し、操作部３５からこの当選品設定で良いか否かの指令を待つ（ステップＳ１１６、ステップＳ１１７）。
【００４４】
ステップＳ１１７にて、操作部３５からの入力指令がＹＥＳの場合は、動作モードを商品管理モードに移行して、ステップ１６０へ進み（ステップＳ１２０）、入力指令がＮＯの場合は、最初から当選品の設定を行うべく、ステップＳ１０３へ戻る。
【００４５】
テーブルデータは、納品された商品に付与されたバーコードの情報に基づいて作成されるので、当選品の対象となるのは、商品の販売時においてリーダー部２０で読み取られる可能性のあるコード情報の商品のみに限定される。
【００４６】
したがって、リーダー部２０が読み取る可能性のない他の小売店で販売された商品が当選品に選定されることは無く、また、ステップＳ１０３、Ｓ１０４の処理において、入力する２つのバーコード情報を適宜選択することで、当選品を特定の商品品目や特定の納入日に納品されたものに限定することができ、当選品の特定を納品された商品の範囲内で自由に設定することができる。
【００４７】
また、ステップＳ１６０から始まる商品管理モードにおいては、まずは、商品のバーコード入力を指示する旨の表示を表示部３０に行わせ、リーダー部２０から商品情報が入力されるのを待ち、入力された商品情報（製造番号を含んだ情報）に基づいて、テーブルデータを参照し、その商品情報に対応する商品の商品名、販売価格、当選識別情報を参照して当選品か否かを把握し、その結果を表示部に表示する（ステップＳ１６０、Ｓ１６２、Ｓ１６４）。
【００４８】
すなわち、商品のバーコード５の読取動作に関連して、当選品の抽選動作が行われる。
一方、当選品選出装置１の電源がオフされていない場合は、ステップ１０２に戻って、動作を継続する一方、電源がオフされた場合は、このプログラムを終了する。
【００４９】
上記実施形態においては、小売店での実施を前提として説明したが、これに限らず、例えば、パチンコ店等の遊技店などで、顧客サービスの一環として無料配布されるおにぎり等の軽食類や出玉と交換される景品について、景品等に貼付されているコード情報を利用して容易に懸賞イベントを開催することも可能である。
【００５０】
【発明の効果】
以上説明したように、本発明の当選品選出方法および当選品選出装置によれば、商品に付与されたコード情報を利用して当選品を選定するので、いちいち抽選券等の物品を用意する必要が無く、懸賞イベントを容易に開催することができる。
【図面の簡単な説明】
【図１】本発明の一実施形態を示した当選品選出装置のブロック図である。
【図２】当選品選出装置のメモリ部に格納されたテーブルデータの一例を示す図である。
【図３】当選品選出装置のシステムコントロール部の動作を説明するフローチャートである。
【符号の説明】
１    当選品選出装置
５    バーコードリーダー部（読取手段）
３０    システムコントロール部（選定手段、判別手段）
３３    メモリ部（記憶手段）
３５    操作部
４０    表示部（報知手段）
【図１】
0003887888.tif 000002
【図２】
0003887888.tif 000003
【図３】
0003887888.tif 000004